(57)【特許請求の範囲】
【請求項１】
感熱発色シートの表面側の所定箇所に配送情報記入部が設けられ、裏面側には粘着剤とこの粘着剤を被覆する剥離紙が設けられてなる貼付票と、この貼付票の前記表面側の前記配送情報記入部に重ならない部分に感熱発色シートからなる配送票が剥離可能な溶剤型の粘着剤からなる感圧接着剤により剥離可能に接着されてなることを特徴とする配送伝票。
【請求項２】
前記剥離可能な溶剤型の粘着剤からなる感圧接着剤が、溶剤型粘着剤１００重量部に対して微小粉体５〜５０重量部の範囲の割合で混合してなることを特徴とする請求項１記載の重ね合わせ接着シート。
【請求項３】
感熱発色シート表面側の所定箇所に配送情報記入部が設けられ、裏面側には粘着剤とこの粘着剤を被覆する剥離紙が設けられてなる貼付票の前記配送情報記入部に重ならない部分に剥離可能な溶剤型の粘着剤からなる感圧接着剤を塗布した後、この感圧接着剤塗布面上に感熱発色シートからなる配送票を重ね合わせ、加圧接着させてなることを特徴とする配送伝票の作成方法。
【発明の詳細な説明】
【０００１】
【発明の属する技術分野】
本発明は、配送品の配送作業に際して用いる配送伝票に関し、特に感熱プリンタで配送情報を記入する配送伝票に関する。
【０００２】
【従来の技術】
従来、配送伝票を構成する貼付票に受領票となる配送票を剥離可能に貼着した配送伝票がノンインパクトプリンタ用の配送伝票として使用されている。この従来のものにおいては、貼付票と配送票との接着に、通常では接着することのない接着剤を用いている。また、近年、感熱プリンタにより配送伝票へ配送情報を記入する方式が望まれるようになり、配送伝票を感熱発色シートで構成したものが要望されるようになった。
【０００３】
しかしながら、従来の感圧接着剤では接着剤を貼付票あるいは配送票に塗布する際、加熱乾燥工程を必要とするため、加熱乾燥時に感熱発色シートが発色し、配送伝票として使用できないものであった。
【０００４】
【発明が解決しようとする課題】
そこで、本発明は、配送伝票を感熱発色シートで構成し、感熱発色シートの接着剤塗膜の形成工程において、加熱乾燥工程を必要としない剥離可能な溶剤型の粘着剤からなる感圧接着剤を用いることにより、感熱発色シートへの接着剤の塗布工程において、感熱発色シートが発色することがない配送伝票とその作成方法を提供することを課題とするものである。
【０００５】
【課題を解決するための手段】
上記課題を解決するため、本発明者らは、従来の剥離可能な感圧接着剤基材において用いられてきたエマルジョンタイプの粘着剤は用いず、その代わりに溶剤型粘着剤を感圧接着剤基剤とし、これと微小粉体とを混合して得た感圧接着剤であれば、従来通り良好な接着力と共に接着後に剥離可能な機能を有し、しかも、加熱乾燥工程を経ずに感圧接着剤層を形成できるため、配送伝票が感熱発色シートで構成されたとしても、その形成工程において何らの問題も生じないことを見い出し本発明を想到した。
【０００６】
すなわち、本発明の配送伝票は、感熱発色シートの表面側の所定箇所に配送情報記入部が設けられ、裏面側には粘着剤とこの粘着剤を被覆する剥離紙が設けられてなる貼付票と、この貼付票の前記表面側の前記配送情報記入部に重ならない部分に感熱発色シートからなる配送票が剥離可能な溶剤型の粘着剤からなる感圧接着剤により剥離可能に接着されてなることを特徴とする。
【０００７】
とりわけ、本発明の配送伝票は、前記剥離可能な溶剤型の粘着剤からなる感圧接着剤が、溶剤型粘着剤１００重量部に対して微小粉体５〜５０重量部の範囲の割合で混合してなることを特徴とする。
【０００８】
そして、本発明の配送伝票の作成方法は、感熱発色シート表面側の所定箇所に配送情報記入部が設けられ、裏面側には粘着剤とこの粘着剤を被覆する剥離紙が設けられてなる貼付票の前記配送情報記入部に重ならない部分に剥離可能な溶剤型の粘着剤からなる感圧接着剤を塗布した後、この感圧接着剤塗布面上に感熱発色シートからなる配送票を重ね合わせ、加圧接着させてなることを特徴とする。
【０００９】
次に、本発明における剥離可能な弱接着性の感圧接着剤について詳述する。これは、ゴム系、アクリル系、シリコーン系といった溶剤型粘着剤を感圧接着剤基剤とし、さらに加圧接着後の剥離性を付与する目的で微小粉体を混合してなるものである。本発明の溶剤型粘着剤とは、スチレン−ブタジエンゴム、天然ゴム、ポリイソブチレンゴムなどのゴム系ポリマ、２−エチルヘキシルアクリレートを基幹モノマとした共重合アクリル系ポリマ、ゴム状シロキサンと樹脂状シロキサンを主成分とするシリコーン系ポリマなどの各種ポリマに、トリクレン、トルエン、ノルマルヘキサン、酢酸エチル、メチルエチルケトンなどの溶剤に溶解してなり、さらに、粘着付与剤などの添加剤が加えられてなるものであって、何れのものも公知であり、市販されているものである。特に、アクリル系もしくはゴム系から選択された溶剤型粘着剤はシートへの適応性の他、コスト面や加工面といった実用面に優れているため好適に用いられる。
【００１０】
この感圧接着剤基剤に混合される微小粉体とは感圧接着剤基剤に対し非新和性を有するものであって、例えば、シリカ、デンプン、酸化亜鉛、酸化チタン、炭酸カルシウム、カオリン、活性白土、球状アルミナなどである。そして、加圧接着後の剥離性を考慮するとRosin−Rammler均等数の均一係数ｎが１.０〜２.６の範囲のものが好適である。特に好ましくは、ＢＥＴ法によって測定された比表面積が７０〜２７０ｍ2／ｇの多孔質のものがよい。とりわけ、接着力や剥離性、その他の実用性を考慮すると、微粉体シリカと微粉体デンプンが好適に利用でき、さらに、これらを混合したものは、その混合比を調整することにより、接着力、剥離性を容易に調整できるため、より好適であることが判明している。
【００１１】
また、感圧接着剤基剤に対する微小粉体の混合割合は、接着力、剥離性、対ブロッキグ性、表面強度などを考慮すると、感圧接着剤基剤１００重量部に対して微小粉体５〜５０重量部の範囲である必要があり、好ましくは１０〜３０重量部の範囲、さらに好ましくは１５〜２５重量部の範囲である。
【００１２】
本発明の配送伝票の作成方法は、上記のように調製された剥離可能な感圧接着剤を一方のシートの重ね合わせ面に、主にグラビアオフセット印刷方式にて塗布し、加熱乾燥工程を経ずに感圧接着剤の塗膜を形成した後、２枚のシートの重ね合わせ面を対接させ、所定の圧力にて加圧接着させることからなる。そして、感圧接着剤塗膜の乾燥塗布量は、ドライシーラーによる加圧接着の際の圧力（５０〜２００ｋｇ／ｃｍ2）や調製された感圧接着剤の接着性や剥離性の程度に応じると、０.５〜１０ｇ／ｍ2の範囲が適当であり、好ましくは５〜６ｇ／ｍ2の範囲が良い。
【００１３】
【発明の実施形態】
以下、本発明の配送伝票の好適な実施例として添付図面に基づき説明する。ここにおいて、図１は本発明の配送伝票の概略的な斜視図、図２は図１のＡ−Ａ線断面図、図３は図１の配送伝票における上部シートと下部シートとを分離した状態説明図、図４は図３のＢ−Ｂ線断面図、図５は図３のＣ−Ｃ線断面図である。
【００１４】
本実施例の配送伝票１は、図１および図２に示すように、上部シート３を重ね合わせる部分に剥離可能な弱接着性の感圧接着剤４が塗布された、感熱発色シートからなる貼付票たる下部シート２と、この感圧接着剤４を介して剥離可能に接着された、下部シート２と同様の感熱発色シートからなる配達票たる上部シート３から構成されている。また、下部シート２の裏面側には通常の永久接着剤５が略全面に塗布され、その表出面は剥離紙６で被覆されている。
【００１５】
下部シート２の表出面には、「貼付票」なる表題、伝票番号の他、受付年月日記入欄、届け先記入欄、送り主記入欄、品名・数量記入欄などの配送情報記入部７ａおよび配送業者表示やバーコードなどの表記情報８ａが施され、一方、上部シート３表面には「配達票」なる表題、下部シート２に表示されたのと同一の伝票番号の他、受付年月日記入欄、届け先記入欄、送り主記入欄、品名・数量記入欄、受領印捺印欄などの配送情報記入部７ｂおよび配送業者表示やバーコードなどの表記情報８ｂが施されている。そして、図３ないし図５に示すように、感熱記録情報１０が感熱プリンタにて配送伝票１の配送情報記入部７ａ、７ｂに印字される。
【００１６】
また、図３ないし図５に示すように、下部シート２表面の下部シート３が重ね合わされる部分に、上部シート３によって隠蔽されるように施された「送り主様から届け先様への連絡文」の欄に印字された通知情報９は、上部シート３と下部シート２とを分離することにより表出される。
【００１７】
なお、本実施例の配送伝票の使用例は、配送情報記入部７ａ、７ｂに印字された配送伝票について、配送人が配送時に剥離紙６を剥離し、露出した永久接着剤５をもって配送品Ｄの適所に貼り付け、配送し、受取人に配送品を手渡す際に、上部シート３を下部シート２から分離し、上部シート３の捺印欄に受取人の認印を押捺してもらい、捺印済の上部シート３を持ち帰ることにより配送作業は終了するというものである。
【００１８】
【発明の効果】
以上述べたように、本発明の配送伝票およびその作成方法は、配送伝票を感熱発色シートで構成し、感熱発色シートの接着剤の塗布形成工程において、加熱乾燥工程を必要としない溶剤型の粘着剤からなる感圧接着剤塗膜を形成したことにより、感圧接着剤塗膜の形成時に感熱発色シートが発色することながなく、発色汚れのない配送伝票を得ることができ、使用時には、感熱プリンタをもって重ね合わせシートの表出面に所定情報を加熱印字できるといった効果を泰するものである。
【図面の簡単な説明】
【図１】本発明の配送伝票の概略的な斜視図。
【図２】図１のＡ−Ａ線断面図。
【図３】図１の配送伝票における上部シートと下部シートとを分離した状態説明図。
【図４】図３のＢ−Ｂ線断面図。
【図５】図３のＣ−Ｃ線断面図。
【符号の説明】
１  配送伝票
２  下部シート
３  上部シート
４  剥離可能な弱接着性の感圧接着剤層
５  永久接着剤
６  剥離紙
７ａ、７ｂ  配送情報記入部
８ａ、８ｂ  表記情報
９  通知情報
１０  感熱記録情報
【図１】
0003717011.tif 000002
【図２】
0003717011.tif 000003
【図３】
0003717011.tif 000004
【図４】
0003717011.tif 000005
【図５】
0003717011.tif 000006